(57)【要約】【課題】機種交換時の作業性の効率を向上させる。【解決手段】パチンコ機１０の上部扉の内側に、ガラスユニット１７を着脱自在に取り付ける。ガラスユニット１７を、その前面側に配置された保護ガラス板４０と、その背面側に配置された樹脂板４１と、これらを保持する保持枠４２とから構成する。樹脂板４１の背面側に、センター役物２９と遊技釘４４とを設ける。機種変更時には、基本的には樹脂板４１のみを交換すればよく、遊技盤２６は共通化して流用することができる。遊技盤２６（遊技盤ユニット）の交換を行う従来よりも、機種交換時の作業性の効率が大幅に向上する。【選択図】図３
2009018082.tif 000002
【特許請求の範囲】
【請求項１】
遊技盤と、
前記遊技盤の前方に所定の間隔をあけて配置され、前記遊技盤との間に遊技領域を形成する透明な樹脂板と、
前記樹脂板にその背面から前記遊技盤の盤面に向かって突出した状態で固定され、前記遊技領域を流下する遊技球の進路を変更する遊技釘とを備えることを特徴とする遊技機。
【請求項２】
前記遊技盤を保持する遊技機本体と、前記遊技機本体に前記遊技盤を覆うように開閉自在に組み付けられた前面扉とを備え、
前記樹脂板は、前記前面扉の内側に着脱自在に取り付けられていることを特徴とする請求項１記載の遊技機。
【請求項３】
前記樹脂板の前面または背面の少なくともいずれか一方に装飾用の図柄が形成されていることを特徴とする請求項１または２記載の遊技機。
【請求項４】
前記樹脂板の背面に役物が設けられていることを特徴とする請求項１ないし３いずれか１項記載の遊技機。
【発明の詳細な説明】
【技術分野】
【０００１】
本発明は、パチンコ店などの遊技場に設置して使用されるパチンコ機等の遊技機に関するものである。
【背景技術】
【０００２】
本明細書中では遊技機としてパチンコ機を例に挙げて説明しているため、遊技球としてパチンコ球が用いられている場合を例に挙げて説明しているが、遊技球としては球状の他の媒体も含む。また、遊技盤に設けられた入賞口にパチンコ球が入ることを入賞とする。
【０００３】
遊技場に設置されるパチンコ機の遊技盤の盤面には、通常口、始動口、アウト口などの他に、遊技釘等の障害物が設けられている（例えば、特許文献１及び２参照）。遊技釘は、遊技盤面上の遊技領域を流下するパチンコ球と衝突してその進路を変更する。そして、パチンコ球が通常口や始動口のいずれかに入賞すると、予め設定されている所定数の賞球がパチンコ機の前面に設けられた供給皿に払い出される。また、始動口にパチンコ球が入賞すると、当たりまたはハズレを決定する当たり抽選が行われ、当たりに当選すると遊技盤の下方に設けられたアタッカが回動して大入賞口が露呈し、この大入賞口にパチンコ球を入賞させることで遊技者は多くの賞球を獲得することができる。
【０００４】
近年、パチンコ機の技術分野における進歩はめざましく、その開発サイクルがますます短縮化される傾向にある。パチンコ機メーカからは、次々に新規な技術を搭載した機種が開発されており、遊技場においてもさらなる顧客サービス向上のため機種交換が頻繁に行われている。このため、特に近年では、遊技盤やレール飾り枠等をユニット化した遊技盤ユニットを機種交換の際に交換するパチンコ機が提供されている（特許文献３参照）。このようなパチンコ機では、共通化できる部材を複数の機種で流用しながらもパチンコ機のデザインを一新することができる。
【特許文献１】特開２００６−２４７２８４号公報
【特許文献２】特開２００１−３３４０２７号公報
【特許文献３】特開２００６−０６１３３７号公報
【発明の開示】
【発明が解決しようとする課題】
【０００５】
ところで、上記特許文献３に記載のように機種交換時に遊技盤ユニットを交換する場合に、遊技盤ユニットの重量は重いため、遊技盤ユニットの脱着作業が作業者にとって負担となり、作業性が悪いという問題が生じている。また、遊技盤ユニットを交換可能にすることで、共通化できる部材を複数の機種で流用することができるが、近年の環境問題の改善に対する強い要請から、更なる部材の共通化を図って廃棄される部材を減らすことが求められている。
【０００６】
本発明は上記問題を解決するためのものであり、機種交換時の作業性の向上を図りつつ、更なる部材の共通化を図ることが可能な遊技機を提供することを目的とする。
【課題を解決するための手段】
【０００７】
上記問題を解決するため、本発明は、遊技盤と、前記遊技盤の前方に所定の間隔をあけて配置され、前記遊技盤との間に遊技領域を形成する透明な樹脂板と、前記樹脂板にその背面から前記遊技盤の盤面に向かって突出した状態で固定され、前記遊技領域を流下する遊技球の進路を変更する遊技釘とを備えることを特徴とする。
【０００８】
前記遊技盤を保持する枠体と、前記枠体に前記遊技盤を覆うように開閉自在に組み付けられた前面扉とを備え、前記樹脂板は、前記前面扉の内側に着脱自在に取り付けられていることが好ましい。
【０００９】
前記樹脂板の前面または背面の少なくともいずれか一方に装飾用の図柄が形成されていることが好ましい。また、前記樹脂板の背面に役物が設けられていることが好ましい。
【発明の効果】
【００１０】
本発明の遊技機は、遊技盤の前方に所定の間隔をあけて樹脂板を配置し、この樹脂板の背面に遊技釘を固定するようにしたので、機種交換時には、基本的には樹脂板を交換すればよく、遊技盤は共通部材として流用することができる。その結果、機種交換時の作業性の効率を大幅に向上させることができる。また、更なる部材の共通化を図ることができる。さらに、遊技盤側に遊技釘を固定する必要が無くなるため、遊技盤の厚みを薄くすることができる。その結果、遊技盤背面側において液晶や役物を配置可能な実装可能領域が拡大するため、液晶の配置制限や役物の実装制限が緩和される。また、樹脂板側に遊技釘を固定するようにしたので、従来のように遊技盤側に遊技釘を固定する場合において遊技釘を固定できないような箇所にも本発明では遊技釘を固定するができる。つまり、従来よりも遊技釘を自由に配列させることができる。これにより、従来と比較してより意外性のある遊技球の弾かれ方等をアピールすることができる。
【００１１】
また、樹脂板を前面扉の内側に着脱自在に取り付けるようにしたので、同様に機種交換時の作業性の効率を大幅に向上させることができる。
【００１２】
また、樹脂板の前面または背面の少なくともいずれか一方に装飾用の図柄を形成するようにしたので、従来のように遊技盤の盤面に図柄を形成する場合において図柄を形成できない場所にも本発明では図柄を形成することができる。これにより、遊技機の演出性を高めることができる。
【００１３】
また、樹脂板の背面に役物を設けるようにしたので、機種交換時に遊技盤を共通部材として流用する際に役物を交換する手間を省くことができる。同様に機種交換時の作業性の効率を大幅に向上させることができる。
【発明を実施するための最良の形態】
【００１４】
図１に示すように、パチンコ機１０（遊技機）はパチンコ機本体１１（遊技機本体）を備えている。パチンコ機本体１１には、上部扉１３及び下部扉１４からなる２枚の前面扉１５がパチンコ機本体１１に対して回動自在となるように、図示しないヒンジ部を介して着脱自在に組み付けられる。
【００１５】
上部扉１３の中央には開口１３ａが設けられており、この開口１３ａは、上部扉１３の背面側に取り付けられた透光性のガラスユニット１７（図２参照）により遮蔽される。なお、上部扉１３が閉じている状態では、遊技の際に遊技領域１８（図３参照）を流下するパチンコ球（遊技球）１９（図３参照）や、遊技領域１８に設けられた各種構造物は、ガラスユニット１７を介して視認される。
【００１６】
下部扉１４には、供給皿２１、払出口２２、操作ハンドル２３等が設けられている。供給皿２１には、遊技を開始する際にパチンコ球１９が供給される他に、遊技領域１８を流下するパチンコ球１９が遊技領域１８に設けられた入賞装置のいずれかに入賞したことを受けて、払出口２２より払い出される賞球としてのパチンコ球１９が貯留される。操作ハンドル２３は、遊技を行う際に操作される。この操作ハンドル２３が操作されると、図示しない遊技球発射装置が駆動して、パチンコ球１９が遊技領域１８に打ち出される。
【００１７】
パチンコ機本体１１の前面には、遊技盤ユニット２５が組み付けられる組み付けスペース（図示せず）が設けられており、この組み付けスペースに遊技盤ユニット２５が組み付けられている。遊技盤ユニット２５は、ベニヤ材等で形成された遊技盤２６と、レール飾り枠２７とから構成されている。
【００１８】
図２に示すように、遊技盤２６には、センター役物２９が嵌合する役物取付用開口（以下、単に開口という）２６ａが形成されている。この開口２６ａからは、パチンコ機本体１１に取り付けられた液晶パネル（図柄表示装置ともいう）３１が露呈される。液晶パネル３１には、周知の電子抽選の結果や演出画像が表示される。
【００１９】
開口２６ａの周縁部には、始動チャッカー３２や入賞チャッカー３３等の入賞装置などの構造物が配設されている。なお、これら入賞装置については周知であるので、その詳細については説明を省略する。また、遊技盤２６には、これらの入賞装置の他にアタッカ３４などが配設されている。アタッカ３４は、例えば始動チャッカー３２にパチンコ球１９が入賞したときに行われる移行抽選で大当たりとなる場合に開閉される。なお、符号３５は飾り、符号３６はアウト口である。
【００２０】
レール飾り枠２７は、螺旋状に形成されたガイドレール３７を備えており、遊技盤２６の前面側に組み付けられている。このレール飾り枠２７を遊技盤２６に組み付けることで、レール飾り枠２７の開口している部分が遊技領域１８（図３参照）として規定される。なお、レール飾り枠２７の形状は特に限定されるものではない。ガラスユニット１７は、ヒンジまたはレール方式の取付部材など各種取付部材を介して、上部扉１３の背面側（内側）に着脱自在に取り付けられている。
【００２１】
図３に示すように、ガラスユニット１７は、保護ガラス板４０と、樹脂板４１と、これらを保持する保持枠（フレーム）４２とから構成されている。保護ガラス板４０は前面側、樹脂板４１は背面側に位置するようにそれぞれ保持枠４２に保持されている。樹脂板４１は、上部扉１３を開放した状態においてガラスユニット１７（保持枠４２）から独立して着脱可能に保持されている。なお、本実施形態では、保護ガラス板４０と樹脂板４１との間に所定のスペースが設けられているが、両者を密着させた状態で保持してもよい。
【００２２】
樹脂板４１は、例えばアクリル樹脂などの透明樹脂材料で形成されている。上部扉１３を閉じると、樹脂板４１は遊技盤２６の前方に所定の間隔をあけて配置されるため、樹脂板４１と遊技盤２６との間に遊技領域１８が形成される。この樹脂板４１の背面には、遊技盤２６の盤面に向かって突出した状態で固定された複数の遊技釘４４が設けられている（図２参照）。遊技釘４４は、遊技領域１８を流下するパチンコ球１９の進路を変更する。なお、図２及び図３は、遊技釘４４の配列の１パターンを例示したものであり、遊技釘４４の数や配列は特に限定はされない。
【００２３】
また、樹脂板４１の背面には、遊技釘４４と同様に突出した状態で固定されたセンター役物２９（役物）が設けられている。センター役物２９は、略枠形状に形成されており、上部扉１３を閉じたときに遊技盤２６の開口２６ａ（図２参照）に嵌合する（図１参照）。この際に、センター役物２９の先端部（パチンコ機本体側の端部）２９ａが開口２６ａを介して遊技盤２６の背面側に突出して、この先端部２９ａの開口に液晶パネル３１が嵌合する。これにより、遊技者は、ガラスユニット１７を介してセンター役物２９内の液晶パネル３１を視認することができる。
【００２４】
センター役物２９の両側壁部２９ｂの外面には、遊技領域１８内で開口した球入口４６が形成されている（図１及び図２参照）。球入口４６に導入されたパチンコ球１９は、図示しない球誘導路を通って側壁部２９ｂの内面に開口した球出口４７から排出される。
【００２５】
球出口４７から排出されたパチンコ球１９は、センター役物２９の底部を構成するステージ２９ｃ上に送られる。この際に、センター役物２９は樹脂板４１の背面に固定されており、ステージ２９ｃの前縁部は樹脂板４１に当接している。このため、ステージ２９ｃにはパチンコ球１９を落下させるための球落下口４８が形成されている。これにより、ステージ２９ｃ上のパチンコ球１９を、センター役物２９の下方に落下させることができる。なお、球落下口４８の形状・数については特に限定はされない。また、ステージ２９ｃに球落下口４８を形成する代わりに、ステージ２９ｃをパチンコ球１９が落下可能な形状に形成してもよい。
【００２６】
図４に示すように、本実施形態では遊技釘４４を樹脂板４１に固定するようにしたので、遊技盤２６の厚みを従来よりも薄くすることができる。具体的には、本実施形態の遊技盤２６の厚みＷ１は約１０ｍｍであり、遊技釘４４が固定された従来の遊技盤の厚みは約１９ｍｍである。なお、樹脂板４１の厚みＷ２は約５〜１０ｍｍである。このように、遊技盤２６の厚みを薄くすることで、遊技盤２６とパチンコ機本体１１との間において液晶パネルや役物等を配置可能な役物実装空間Ａ（図３参照）を広くすることができる。
【００２７】
樹脂板４１の前面側には、装飾用の各種図柄が印刷された装飾シート５０（装飾用の図柄）が貼り付けられている。この装飾シート５０としては、図柄が印刷された透明樹脂フイルムなどの各種透過性フイルムが用いられる。従来では遊技盤の前面に装飾用シートを貼り付けるのが一般的であったが、本実施形態のように樹脂板４１に装飾シートを貼り付けることで、遊技盤２６を無地の状態とすることができる。
【００２８】
このように本実施形態では、樹脂板４１にセンター役物２９、遊技釘４４、及び装飾シート５０を設けることで、パチンコ機１０の機種交換時に交換される交換部品は基本的には樹脂板４１となり、遊技盤２６は流用することができる。なお、機種交換時には、パチンコ機本体１１内に収納され、各種制御プログラムや演出用データ等が記憶されたＲＯＭカセット（図示せず）の交換も行われる。
【００２９】
次に、本実施形態のパチンコ機１０の機種交換時の手順の一例について説明を行う。機種交換時には、新機種に対応する数・パターンの遊技釘４４、及び対応するセンター役物２９が背面に固定され、さらに、対応する装飾シート５０が前面に貼り付けられた樹脂板４１を用意する。次いで、パチンコ機１０の上部扉１３を開いてその背面側にあるガラスユニット１７の保持枠４２から樹脂板４１を取り外す。なお、上部扉１３をパチンコ機本体１１から取り外してから樹脂板４１の取り外しを行ってもよく、または、上部扉１３よりガラスユニット１７を取り外してから樹脂板４１の取り外しを行ってもよい。
【００３０】
樹脂板４１を取り外したら、新たな樹脂板４１を保持枠４２に取り付ける。また、パチンコ機本体１１内に収納されているＲＯＭカセットを交換するとともに、必要に応じてレール飾り枠２７、始動チャッカー３２、入賞チャッカー３３等を交換する。これらの交換作業が終了したら、上部扉１３を閉じることで機種交換作業が完了する。
【００３１】
以上のように本発明では、従来は遊技盤に設けられていた遊技釘４４、センター役物２９、装飾シート５０を樹脂板４１に設けることで、機種交換時に遊技盤ユニットの交換を行う必要がなくなり、基本的には樹脂板４１の交換と、上述のＲＯＭカセット等の交換とで機種交換に対応することができる。これにより、機種交換時の作業性の効率を大幅に向上させることができる。また、遊技盤２６を共通部材として流用することができるので、機種交換時に共通化可能な部材の数を増やすことができる。これにより、機種交換時のコストを抑えられるとともに、廃棄される部材が減るため環境問題への対策ともなる。
【００３２】
さらに、遊技釘４４を樹脂板４１側に固定することで、遊技盤２６の厚みを薄くすることができるため、役物実装空間Ａ（図３参照）を広くすることができる。これにより、液晶パネルの配置制限や役物の実装制限が緩和される。
【００３３】
また、従来のように遊技盤側に遊技釘を固定する際に、役物や入賞装置等の構造物との位置関係から遊技釘を固定できないような箇所にも遊技釘４４を固定することができる。つまり、従来よりも遊技釘４４を自由に配列させることができる。これにより、例えば、より意外性のあるパチンコ球１９の弾かれ方をアピールすることができるので、パチンコ機１０の演出性を高めることができる。
【００３４】
また、樹脂板４１を上部扉１３ａの内側に着脱自在に取り付けるようにしたので、同様に機種交換時の作業性の効率を大幅に向上させることができる。
【００３５】
また、樹脂板４１の前面に装飾シート５０を貼り付けるようにしたので、上述したように遊技盤２６は無地の状態とすることができる。従来のように遊技盤に装飾シートを貼り付けた場合には、機種変更時に古い装飾シートを剥がした後に新しい装飾シートを貼り付ける必要があるが、本発明ではこのような作業は不要となる。その結果、同様に機種交換時の作業性の効率を大幅に向上させることができる。さらに、遊技盤に装飾シートを貼り付ける場合において、構造物との関係から装飾シートを貼り付けられないような箇所にも装飾シートを貼り付けることができる。これにより、パチンコ機１０の演出性を高めることができる。
【００３６】
また、樹脂板４１の背面にセンター役物２９を固定することで、機種交換時に遊技盤２６を流用する際にセンター役物２９を交換する手間を省くことができる。これにより、機種交換時の作業性の効率を大幅に向上させることができる。
【００３７】
なお、上記実施形態では、樹脂板４１にセンター役物２９、遊技釘４４、装飾シート５０を設けた場合を例に挙げて説明を行ったが、本発明はこれに限定されるものではない。例えば図５に示すように、レール飾り枠５５のガイドレールを、パチンコ球１９の発射に必要な第１レール部品５６ａと、それ以外の第２レール部品５６ｂとからなる２分割構造とする。そして、第１レール部品５６ａはレール飾り枠５５に残すとともに、第２レール部品５６ｂは樹脂板４１の背面に固定するようにしてもよい。これは機種変更時にガイドレールの交換が必要になる場合において、基本的に第１レール部品５６ａはパチンコ機１０の機種に関わらず流用可能な部品であり、第２レール部品５６ｂのみを交換すればよいからである。従って、第２レール部品５６ｂのみを樹脂板４１の背面に固定することで、第１レール部品５６ａも共通化できる。これにより、機種交換時のコストを抑えられるとともに、環境問題への対策ともなる。
【００３８】
また、上記実施形態では、樹脂板４１の背面に設けられた役物としてセンター役物２９を例に挙げて説明を行ったが、本発明はこれに限定されるものではなく、ステージ等の各種形状の役物が設けられていてもよい。さらに、樹脂板４１の背面に始動チャッカー３２や入賞チャッカー３３等の入賞装置や、風車等の各種構造物を設けるようにしてもよい。
【００３９】
なお、上記実施形態では、装飾シート５０を樹脂板４１の前面に貼り付けた場合を例に挙げて説明を行ったが、本発明はこれに限定されるものではなく、樹脂板４１の背面または両面に貼り付けるようにしてもよい。また、装飾シート５０を貼り付ける代わりに、樹脂板４１の前面または背面の少なくともいずれか一方に装飾用の図柄を印刷で形成するようにしてもよい。
【００４０】
また、上記実施形態では、樹脂板４１の背面のみに遊技釘４４を固定するようにしているが、本発明はこれに限定されるものではなく、遊技盤２６の前面にも遊技釘４４を固定して、２面から遊技釘４４を構成するようにしてもよい。
【００４１】
なお、上記実施形態では、遊技盤２６としてベニヤ材で形成されたものを例に挙げて説明を行ったが、本発明はこれに限定されるものでなく、遊技盤２６を樹脂板４１と同じ材料、例えばアクリル樹脂等で形成してもよい。
【００４２】
また、上記実施形態では、機種交換作業時に樹脂板２６を交換する場合を例に挙げて説明を行ったが、本発明はこれに限定されるものではない。例えば、ガラスユニット１７及び樹脂板２６が上部扉１３ａの内側に固定されているパチンコ機の場合には、上部扉１３ａ（前面扉１３）ごと交換するようにしてもよい。
【００４３】
なお、上記実施形態では、遊技球としてパチンコ球を用いるパチンコ機を例に挙げて説明を行ったが、本発明はこれに限定されるものではなく、遊技球として球状の他の媒体を用いる遊技機にも本発明を適用することができる。
【図面の簡単な説明】
【００４４】
【図１】パチンコ機の斜視図である。
【図２】パチンコ機の上部扉を開いた状態を示す斜視図である。
【図３】パチンコ機の断面図である。
【図４】図３の断面図の一部を拡大した拡大図である。
【図５】ガイドレールの一部が樹脂板の背面に設けられた他の実施形態のパチンコ機の斜視図である。
【符号の説明】
【００４５】
１０  パチンコ機（遊技機）
１１  パチンコ機本体（遊技機本体）
１３  上部扉
１５  前面扉
１７  ガラスユニット
１８  遊技領域
１９  パチンコ球（遊技球）
２５  遊技盤ユニット
２６  遊技盤
２７  レール飾り枠
２９  センター役物（役物）
３１  液晶パネル
３７  ガイドレール
４１  樹脂板
４４  遊技釘
５０  装飾シート（装飾用の図柄）
【図１】
2009018082.tif 000003
【図２】
2009018082.tif 000004
【図３】
2009018082.tif 000005
【図４】
2009018082.tif 000006
【図５】
2009018082.tif 000007